(57)【要約】【課題】カバー１８を締め付け固定する頭付きねじ２０のねじ挿通孔１８ａの座ぐり１８ｂに、雨水が溜まらないようにしたアンテナ装置を提供する。【解決手段】ベース部材１２の上面側にアンテナエレメント１６の基端部を揺動軸１４回りに揺動自在に配設し、アンテナエレメント１６が貫通突出して揺動自在なカバー１８でベース部材１２を上側から覆い、カバー１８をベース部材１２に上側から頭付きねじ２０で締め付け固定するアンテナ装置である。カバー１８のねじ挿通孔１８ｂに締め付け状態の頭付きねじ２０の頭が没する座ぐり１８ｂを設け、座ぐり１８ｂの底部よりねじ挿通孔１８ａの周面に縦方向の溝１８ｃを設け、ベース部材１２に縦方向の溝１８ｃに一端部が臨み他端が外縁に開口連通する横方向の溝１２ｄを形成する。縦方向の溝１８ｃと横方向の溝１２ｄにより、座ぐり１８ｂに侵入した雨水を外方に導出する水路を構成する。【選択図】    図３
2004159153.tif 000002
【特許請求の範囲】
【請求項１】
ベース部材の上面側にアンテナエレメントの基端部を揺動軸回りに揺動自在に配設し、前記アンテナエレメントが貫通突出して揺動自在なカバーで前記ベース部材を上側から覆い、前記カバーを前記ベース部材に上側から頭付きねじで締め付け固定するアンテナ装置であって、前記カバーのねじ挿通孔に締め付け状態の前記頭付きねじの頭が没する座ぐりを設け、この座ぐりの底部と前記カバーまたは／および前記ベース部材の外縁で前記座ぐりの底部よりも低い位置とを連通する水路を設けて構成したことを特徴とするアンテナ装置。
【請求項２】
請求項１記載のアンテナ装置において、前記座ぐりの底部より前記ねじ挿通孔の周面に縦方向の溝を設け、前記ベース部材に前記縦方向の溝に一端部が臨み他端が外縁に開口連通する横方向の溝を形成し、前記縦方向の溝と前記横方向の溝により前記水路を構成したことを特徴するアンテナ装置。
【発明の詳細な説明】
【０００１】
【発明の属する技術分野】
本発明は、車両のルーフなどに配設固定されるアンテナ装置に係わり、ベース部材を覆うカバーを固定する頭付きねじのための座ぐりに雨水が溜まらないようにしたアンテナ装置に関するものである。
【０００２】
【従来の技術】
車両ルーフなどに配設固定され、アンテナエレメントがモノポールアンテナなどのロッド状であるアンテナ装置にあっては、車庫への出入りおよび洗車の際にアンテナエレメントが立設したままでは不具合を生じる虞があり、通常はアンテナエレメントの基端部が揺動軸回りに揺動自在に構成されている。このアンテナ装置は、ベース部材がパッドを介して車両のルーフに配設固定され、ベース部材の上面側に立設した一対のアームに設けた揺動軸によりアンテナエレメントの基端部が揺動自在とされる。そして、アンテナエレメントが貫通突出して揺動自在なカバーで、ベース部材を上側から覆い、このカバーがベース部材に丸小ねじやなべ小ねじなどの頭付きねじで上側から締め付け固定される。しかも、カバーのねじ挿通孔には、締め付け状態で頭付きねじの頭が没する座ぐりが設けられている。
【０００３】
【発明が解決しようとする課題】
上述の従来のアンテナ装置は、アンテナエレメントを貫通突出させる開口部よりカバー内に雨水が浸入する構造である。そこで、カバー内に侵入した雨水が適宜に排出されるように、ベース部材の上面に排水用の横方向の溝が従来より設けられている。しかし、ねじ挿通孔の座ぐりに溜まった雨水は、排出されることはない。ここで、座ぐりに雨水が溜まっても、アンテナ特性などには何ら影響を受けるものでない。しかし、座ぐりに溜まった雨水により、従来例では、土や塵埃が付着して汚れ易く、しかもねじが溜まり水による湿気に長時間晒されて腐食され易いものであった。
【０００４】
本発明は、上述のごとき従来技術を改善すべくなされたもので、カバーを締め付け固定する頭付きねじのための座ぐりに、雨水が溜まらないようにしたアンテナ装置を提供することを目的とする。
【０００５】
【課題を解決するための手段】
かかる目的を達成するために、本発明のアンテナ装置は、ベース部材の上面側にアンテナエレメントの基端部を揺動軸回りに揺動自在に配設し、前記アンテナエレメントが貫通突出して揺動自在なカバーで前記ベース部材を上側から覆い、前記カバーを前記ベース部材に上側から頭付きねじで締め付け固定するアンテナ装置であって、前記カバーのねじ挿通孔に締め付け状態の前記頭付きねじの頭が没する座ぐりを設け、この座ぐりの底部と前記カバーまたは／および前記ベース部材の外縁で前記座ぐりの底部よりも低い位置とを連通する水路を設けて構成されている。
【０００６】
そして、前記座ぐりの底部より前記ねじ挿通孔の周面に縦方向の溝を設け、前記ベース部材に前記縦方向の溝に一端部が臨み他端が外縁に開口連通する横方向の溝を形成し、前記縦方向の溝と前記横方向の溝により前記水路を構成しても良い。
【０００７】
【発明の実施の形態】
以下、本発明の実施例を図１ないし図６を参照して説明する。図１は、本発明のアンテナ装置の要部の外観図である。図２は、図１のＡ矢視図である。図３は、図２のＢ−Ｂ矢視断面拡大図である。図４は、図３のＣ−Ｃ矢視端面図である。図５は、カバーの平面図である。図６は、ベース部材の平面図である。
【０００８】
図において、アンテナ装置１０は、ベース部材１２の上面側に一対のアーム１２ａ，１２ａが立設され、このアーム１２ａ，１２ａに設けられた揺動軸１４により、モノポールアンテナなどのロッド状のアンテナエレメント１６の基端部が揺動自在に配設される。そして、アンテナエレメント１６が貫通突出して揺動自在なカバー１８が、ベース部材１２を上側から覆い、カバー１８が丸小ねじやなべ小ねじなどの頭付きねじ２０でベース部材１２に上側から締め付け固定される。さらに、ベース部材１２の下面側には、弾性ゴム材などからなるパッド２２が配設され、ベース部材１２の下面側に突出された取り付けボルト１２ｂが車両のルーフに穿設された取り付け孔に挿入され、車両内側から図示しない取り付けナットが螺合されて締め付け固定される。ここで、パッド２２によりベース部材１２と車両のルーフとの間が水密構造とされ、車両のルーフの取り付け孔から雨水が車両内に侵入するようなことがない。また、アンテナエレメント６を貫通突出させる開口部よりカバー１８内に侵入した雨水は、ベース部材１２の上面に設けられて外縁側が低くなっていて外縁に開口連通する略横方向の溝１２ｃにより外方に導出される。
【０００９】
カバー１８に穿設されるねじ挿通孔１８ａには、締め付け状態で頭付きねじ２０の頭が没する座ぐり１８ｂが形成される。なお、ねじ挿通孔１８ａに臨んでベース部材１２にはねじ螺入孔が適宜に穿設されていることは勿論である。そして、座ぐり１８ｂの底部より、ねじ挿通孔１８ａの周面に縦方向の溝１８ｃが設けられ、ねじ挿通孔１８ａと縦方向の溝１８ｃにより横断面が略鍵穴状に形成される。さらに、カバー１８の下面側に突設されたねじ挿通孔１８ａのためのボス１８ｄには、その下端面に縦方向の溝１８ｃに連なる切り欠き１８ｅが設けられている。また、ベース部材１２の上面には、縦方向の溝１８ｃに一端部が臨み他端が外縁に開口連通する横方向の溝１２ｄが、外縁側が低くなるようにして形成される。なお、この横方向の溝１２ｄに臨んで、カバー１８の外縁には切り欠き１８ｆが形成される。
【００１０】
かかる構成において、カバー１８のねじ挿通孔１８ａの座ぐり１８ｂに入った雨水は、縦方向の溝１８ｃを介して下方に流れ、そしてボス１８ｄの下端面の切り欠き１８ｅからベース部材１２の横方向の溝１２ｄに流れ、さらにこの横方向の溝１２ｄにより外方へと導出される。もって、縦方向の溝１８ｃと切り欠き１８ｅおよび横方向の溝１２ｄによって水路が形成され、カバー１８の座ぐり１８ｂに雨水が溜まるようなことがない。そこで、座ぐり１８ｄに土や塵埃が付着して汚れるようなことがない。
【００１１】
なお、上記実施例で、カバー１８のボス１８ｄの下端面に設けた切り欠き１８ｅおよび外縁の切り欠き１８ｆは、水路が確実に連通するように設けられたものにすぎず、カバー１８の縦方向の溝１８ｃがベース部材１２の横方向の溝１２ｄに確実に連通されるとともに、横方向の溝１２ｄがベース部材１２の外縁で外方に確実に開口されるならば、設けられていなくても良い。また、カバー１８の縦方向の溝１８ｃは、座ぐり１８ｂに侵入した雨水をベース部材１２の横方向の溝１２ｄに導くためのもので、同様の作用が得られる構造であれば、上記実施例に限られるものでない。例えば、カバー１８の座ぐり１８ｂの底面からベース部材１２の横方向の溝１２ｄに向けて透孔が穿設されても良い。そして、ベース部材１２の横方向の溝１２ｄは、縦方向の溝１８ｃでベース部材１２の上面に導かれた雨水を外方に確実に導出するものであれば良い。そこで、ベース部材１２の上面に導かれた雨水を外方に確実に導出できるならば、上記実施例に限られず、ベース部材１２の上面が外縁側が低く形成されて、外縁から外方に雨水が適宜に導出されるような構造であっても良い。そして、ベース部材１２の横方向の溝１２ｄは、他端が外縁に開口されればいかなる方向に形成されても良い。さらに、締め付け状態で頭付きねじ２０の頭が没する座ぐり１８ｂの深さは、頭が完全に没するものに限られず一部が没するものであっても良い。また、頭付きねじ２０は、さら小ねじなどであっても良く、その場合に座ぐり２０の形状をさら小ねじに合わせて形成することは勿論である。
【００１２】
【発明の効果】
以上説明したように本発明のアンテナ装置は構成されているので、以下のごとき格別な効果を奏する。
【００１３】
請求項１記載のアンテナ装置にあっては、カバーを締め付け固定する頭付きねじのための座ぐりに流入した雨水が、その底部より水路を介して外方に導出されるので、座ぐりに雨水が溜まることがない。よって、溜まった雨水で土や塵埃が付着するようなことがなく、汚れが生じ難く、しかも従来例のごとくねじが溜まり水による湿気に長時間晒されることもなく、それだけねじは腐食され難い。
【００１４】
請求項２記載のアンテナ装置にあっては、座ぐりの底部より、ねじ挿通孔の周面に縦方向の溝を設け、ベース部材に縦方向の溝に一端部が臨み他端が外縁に開口連通する横方向の溝を設けることで、簡単な構造により、座ぐりの底部から外方に雨水を導出する水路を構成することができる。
【図面の簡単な説明】
【図１】本発明のアンテナ装置の要部の外観図である。
【図２】図１のＡ矢視図である。
【図３】図２のＢ−Ｂ矢視断面拡大図である。
【図４】図３のＣ−Ｃ矢視端面図である。
【図５】カバーの平面図である。
【図６】ベース部材の平面図である。
【符号の説明】
１０  アンテナ装置
１２  ベース部材
１２ｄ  横方向の溝
１４  揺動軸
１６  アンテナエレメント
１８  カバー
１８ａ  ねじ挿通孔
１８ｂ  座ぐり
１８ｃ  縦方向の溝
２０  頭付きねじ
【図１】
2004159153.tif 000003
【図２】
2004159153.tif 000004
【図３】
2004159153.tif 000005
【図４】
2004159153.tif 000006
【図５】
2004159153.tif 000007
【図６】
2004159153.tif 000008